(57)【要約】      （修正有）【課題】撮像機器との着脱が容易で、台座と撮像機器とを確実に固定し、更に台座を撮像機器に装着することで撮像機器の動作を制御可能な保護ケースを提供する。【解決手段】保護ケースは、撮像装置を収納した状態で撮影が可能な保護ケースであって、前記撮像装置を固定するための台座３を有し、前記台座３は、三脚ネジ１２と、前記撮像装置と係合する爪部１３と、を備え、前記爪部１３は、前記三脚ネジが設けられた前記台座３の一方の辺側とは反対の他方の辺側に設けられている。【選択図】図２
2013127588.tif 000002
【特許請求の範囲】
【請求項１】
撮像装置を収納した状態で撮影が可能な保護ケースであって、
前記撮像装置を固定するための台座を有し、
前記台座は、三脚ネジと、前記撮像装置と係合する爪部と、を備え、
前記爪部は、前記三脚ネジが設けられた前記台座の一方の辺側とは反対の他方の辺側に設けられていることを特徴とする保護ケース。
【請求項２】
請求項１に記載の保護ケースに収納される撮像装置であって、
前記爪部と係合するための係合部を有することを特徴とする撮像装置。
【請求項３】
前記爪部と前記係合部が係合することにより、前記撮像装置に設けられた操作部が押下され、前記撮像装置の制御状態を変更することを特徴とする請求項２に記載の撮像装置。
【請求項４】
前記撮像装置に取付け可能な電池を更に有し、
前記撮像装置の光軸方向において、前記撮像装置と前記電池との間に、前記爪部が挿入可能な空間が形成されていることを特徴とする請求項２または３に記載の撮像装置。
【請求項５】
前記電池が取付けられる電池装着部を更に有し、
前記撮像装置の背面側から見て、前記電池の領域は、幅方向において、前記電池装着部の領域全てと重なる領域と重ならない領域を有し、
前記係合部は、前記重ならない領域に設けられていることを特徴とする請求項２から４のいずれか１項に記載の撮像装置。
【発明の詳細な説明】
【技術分野】
【０００１】
本発明は、撮像機器用の保護ケースに関するものである。
【背景技術】
【０００２】
従来、ビデオカメラ等の撮像機器を収納した状態で撮影可能な保護ケース、特に防水を目的とした保護ケース(例えばマリンパック等)が知られている。従来の構成について図１０、図１１を用いて説明する。図１０は従来のビデオカメラを防水する保護ケースを示す図であり、図１１は従来の保護ケースの台座を示す図である。
【０００３】
９０は保護ケース、９１はビデオカメラ、９２は保護ケース開口部のシール部、９３はビデオカメラ９１を取り付けて保護ケース９０へ装着する為の台座、９４は保護ケース９０の前側カバー、９５は前側カバー９４を閉じた状態で保持するためのバックルである。９６は三脚ネジ、９７は保護ケース９０に固定するために保護ケース９０と係合するロック部材である。
【０００４】
保護ケース９０を使用する際には、台座９３にビデオカメラ９１を装着した後、台座９３と保護ケース９０を係合させ位置を決める。シール部９２はゴムのＯリング等で構成される事が多く、前側カバー９４を閉じることでシール部９２は設定した量だけ圧縮して潰され外部の水の浸入を防いでいる。例えば、特許文献１は、安定した状態で良好に撮影するために、ビデオカメラ本体の三脚取付けネジ部を利用して保護ケースと着脱可能に取付けられる台座で装着する構造を提案している。
【先行技術文献】
【特許文献】
【０００５】
【特許文献１】特開平４−５２６３０号公報
【発明の開示】
【発明が解決しようとする課題】
【０００６】
しかしながら、特許文献１にて開示された構造では、台座とビデオカメラとの固定を三脚取付けネジ部による一箇所のみで行う為、台座とビデオカメラとの間で浮きが発生し、確実な固定をすることができていなかった。
【０００７】
さらに、近年のビデオカメラは小型化が進み、ビデオカメラの三脚取付けネジ部がカメラの隅の方へ設けられることが多くなってきている。そのため、ネジ位置から遠い台座の端ではさらに顕著に浮きが発生しやすくなり、異音の発生や操作キーとの位置関係が合わなくなってしまう。
【０００８】
本発明は、上記従来の問題に鑑み、撮像機器との着脱が容易で、台座と撮像機器とを確実に固定し、更に台座を撮像機器に装着することで撮像機器の動作を制御可能な保護ケースを提供することを目的とする。
【課題を解決するための手段】
【０００９】
上記目的を達成するために、本発明の一側面としての保護ケースは、撮像装置を収納した状態で撮影が可能な保護ケースであって、前記撮像装置を固定するための台座を有し、前記台座は、三脚ネジと、前記撮像装置と係合する爪部と、を備え、前記爪部は、前記三脚ネジが設けられた前記台座の一方の辺側とは反対の他方の辺側に設けられていることを特徴とする。
【発明の効果】
【００１０】
本発明によれば、撮像機器との着脱が容易で、台座と撮像機器とを確実に固定し、更に台座を撮像機器に装着することで撮像機器の動作を制御可能な保護ケースを提供することができる。
【図面の簡単な説明】
【００１１】
【図１】本発明の保護ケースの実施形態の一例である防水ケースの外観斜視図である。
【図２】実施例の台座を示す斜視図である。
【図３】実施例の台座とビデオカメラが固定されているときの背面図である。
【図４】実施例の台座と電池装着時のビデオカメラが固定されているときの背面図である。
【図５】実施例の台座と電池装着時のビデオカメラが固定されているときの下面図である。
【図６】実施例の爪部の断面図である。
【図７】実施例の爪部の断面図である。
【図８】実施例のビデオカメラの構成を示すブロック図である。
【図９】実施例のビデオカメラにおける動作を示すフローチャートである。
【図１０】従来の保護ケースを示す図である。
【図１１】従来の保護ケースの台座を示す図である。
【発明を実施するための形態】
【００１２】
以下に、本発明の好ましい実施の形態を、添付の図面に基づいて詳細に説明する。
【００１３】
図１は、本発明の保護ケースの実施形態の一例である防水ケースの外観斜視図である。２１はビデオカメラ（撮像装置）、１は保護ケース、２は保護ケース開口部のシール部、３はビデオカメラ２１を取付けて保護ケース１へ装着する為の台座、４は保護ケース１の前側カバー、５は前側カバー４を閉じた状態で保持するためのバックルである。保護ケース１は、前述した保護ケース９０と同様の方法で使用される。
【００１４】
図２は、台座３を示す斜視図である。１２は撮像機器固定用の三脚ネジ、１３は撮像機器固定用の爪部、１４は保護ケースを台座に固定するロック部である。
【００１５】
爪部１３は三脚ネジ１２が設けられた台座３の一方の辺側とは反対の他方の辺側に設けられている。これによって、三脚ネジ１２により撮像機器を引き込み固定し爪部１３により三脚ネジ１２部から台座３の遠い領域を引き離し方向に動かないよう固定することが可能となる。
【００１６】
図３は台座３とビデオカメラ２１が固定されているときの背面図、図４は台座３と電池装着時のビデオカメラ２１が固定されているときの背面図、図５は台座３と電池装着時のビデオカメラ２１が固定されているときの下面図である。２２はビデオカメラ２１に設けた電池装着部、２３は爪部１３を受ける凹部（係合部）、２４はビデオカメラ２１駆動用の電池である。
【００１７】
電池装着部２２は、電池２４の外形幅寸法に対応した幅寸法Ｂの凹形状に幅寸法Ａの取付け部から構成されている。このとき、凹部２３は電池装着部２２の幅Ｂ内でかつ幅寸法Ａの範囲外に設ける。すなわち、凹部２３は、ビデオカメラ２１の背面側から見て、幅方向において電池装着部２２の領域全てと重なる電池２４の領域ではなく、電池装着部２２と重ならない電池２４の領域に設けられている。爪部１３、凹部２３をこの位置関係に設けることで、台座３をビデオカメラ２１に装着した状態で電池２４の着脱を可能に構成することが可能となる。また、凹部２３を電池装着部２２に設けることで、電池２４を装着すれば外観面からの見栄えを損なわず構成することができる。
【００１８】
図６は、爪部１３の断面図である。爪部１３の幅Ｄはビデオカメラ２１と電池２４の隙間寸法Ｃよりも小さく設定する。これにより、ビデオカメラ２１の光軸方向において、ビデオカメラ２１と電池２４との間に、爪部１３が挿入可能な空間が形成されているので、ビデオカメラ２１に電池２４を装着した状態での台座３の着脱が可能となる。
【００１９】
図７は、図６と同様の断面図である。６１はスイッチ（操作部）、６２はキートップである。図７は、図６の構成にスイッチ６１とキートップ６２を追加した構成であり、台座３とビデオカメラ２１が装着された状態でスイッチ６１をキートップ６２で押下することが可能となる。
【００２０】
図８は、実施例のビデオカメラの構成を示すブロック図である。７１はレンズ、７２はシャッター、７３はＣＭＯＳ、７４は映像処理部、７５は記録装置、７６は制御部である。爪部１３がスイッチ６３を押下すると、制御部７６はビデオカメラ２１の制御状態を変更する。制御状態の変更とは、例えば水中に適したホワイトバランス制御や撮影モードを水中モードに変更することでケース収納状態の最適な撮影を行うことが可能となる。
【００２１】
図９は、ビデオカメラ２１における動作を示すフローチャートである。ステップ（図ではＳと記す）８１で電源ＯＮをされるとＳ８２でスイッチ６３押下の判断を行う。ここで、スイッチ６３押下と判断するとＳ８３へ進みビデオカメラの撮影モードを水中モードに切り替える。さらに、Ｓ８４でスイッチ６３押下を監視し、スイッチ６３が押下されている状態では水中モードを維持する。スイッチ６３押下が解除されるとＳ８５にて水中モードから脱出し、再度Ｓ８２に戻りスイッチ６３押下を監視する。ここで、Ｓ８３の動作を撮影モードの変更ではなく、ホワイトバランス制御とすること、ケースへの装着検出とすることも同様に可能である。
【００２２】
以上、本発明の好ましい実施形態について説明したが、本発明はこれらの実施形態に限定されず、その要旨の範囲内で種々の変形及び変更が可能である。
【符号の説明】
【００２３】
１    保護ケース
３    台座
１２  三脚ネジ
１３  爪部
【図１】
2013127588.tif 000003
【図２】
2013127588.tif 000004
【図３】
2013127588.tif 000005
【図５】
2013127588.tif 000006
【図６】
2013127588.tif 000007
【図７】
2013127588.tif 000008
【図８】
2013127588.tif 000009
【図１０】
2013127588.tif 000010
【図１１】
2013127588.tif 000011
【図４】
2013127588.tif 000012
【図９】
2013127588.tif 000013